(57)【要約】【課題】  内部温度の上昇などの環境に依存する再生エラーの発生を抑制し、再生パフォーマンスの向上を図ることができる光ディスクドライブ装置を提供する。【解決手段】  ホストコンピュータ１５から再生要求があった場合、コントローラ１４は、温度センサ１３を制御して装置内部の温度を測定させる（Ｓ１）。次に、温度センサ１３からの温度検出情報に基づいて装置内部の温度が例えば４０℃以上かどうかの判別処理を行い（Ｓ２）、４０℃以上の場合は再生速度を４倍速度までに制限した後（Ｓ３）、再生処理を実行する（Ｓ４）。一方、装置内部の温度が４０℃より低いと判別した場合は再生速度を最高速（例えば８倍速）に設定した後（Ｓ５）、再生処理を実行する（Ｓ４）。これにより、再生エラーの発生を抑制することができ、これにより再生パフォーマンスの向上を図るようにした。【選択図】      図３
2006040487.tif 000002
【特許請求の範囲】
【請求項１】
光ディスクに記録された情報を再生することができる光ディスクドライブ装置において、前記光ディスクに記録された情報を再生する再生手段と、再生動作時の再生速度を変更する再生速度変更手段と、当該光ディスクドライブ装置の内部温度を測定する温度測定手段と、外部から前記光ディスクの再生要求があった場合に、前記温度測定手段により内部温度の測定を行い、測定した温度が所定温度より低い場合は前記再生速度を最高速度に設定し、所定温度より高い場合は前記再生速度の所定速度以下に設定する制御手段と、を備えていることを特徴とする光ディスクドライブ装置。
【請求項２】
所定の温度範囲毎に再生動作時に動作可能な再生速度情報を記憶する記憶手段を備えていることを特徴とする請求項１に記載の光ディスクドライブ装置。
【請求項３】
前記記憶手段の再生速度情報は、ディスク種別ごとに記憶されていることを特徴とする請求項２に記載の光ディスクドライブ装置。
【請求項４】
光ディスクに記録された情報を再生することができる光ディスクドライブ装置において、前記光ディスクに記録された情報を再生する再生手段と、前記再生手段で再生した再生信号にイコライズを施すイコライザ手段と、当該光ディスクドライブ装置の内部温度を測定する温度測定手段と、前記再生手段で再生された再生信号のエラーを検出した場合に、前記温度測定手段により内部温度の測定を行い、その温度測定結果に基づいて、前記イコライザ手段を制御する制御手段と、を備えていることを特徴とする光ディスクドライブ装置。
【請求項５】
ディスク種別と温度範囲毎にイコライザ設定情報を記憶する記憶手段を備えていることを特徴とする請求項４に記載の光ディスクドライブ装置。
【請求項６】
請求項４に記載の光ディスクドライブ装置において、前記制御手段は、前記イコライザ手段の設定を変更して再生リトライ処理を実行したときに、前記再生手段により再生される再生信号のエラーが検出されなくなった場合は、前記再生リトライ時のイコライザ手段の設定を維持することを特徴とする光ディスクドライブ装置。
【発明の詳細な説明】
【技術分野】
【０００１】
本発明は光ディスクに記録されている情報を再生することができる光ディスクドライブ装置に関するものである。
【背景技術】
【０００２】
従来から光ディスクに記録されている情報を再生する光ディスクドライブ装置では、回転させているディスクにレーザ光を当てて、ピットの有無による戻り光の強弱を検出して得られる再生信号をもとにデータの再生を行うようにしている。
このような光ディスクドライブ装置は、再生時にエラーが発生したとしても、すぐにホストコンピュータに再生エラーを報告するのではなく、例えばＯＳのタイムアウトが７秒であれば、その時間内において再生リトライ処理を実行するのが一般的である。
例えば特許文献１には、光ディスクの再生時に再生エラーとなった場合の再生リトライ方法が開示されている。特許文献１では、装置において再生エラーを検出した場合、回転速度の減速と、イコライザの変更を行って再生リトライ処理を行うようにしている。その手順としては、先ず再生リトライ時にイコライザの設定を変更する。例えばブースト量を上げて再生リトライ処理を実行し、それでも再生できない場合はカット周波数を変化させるようにしている。そしてそれでも再生できない場合に減速処理を行ってリトライを行うものである。
また特許文献２には、光ディスク装置において、ディスクの再生、ベリファイ時に、再生エラーが発生した場合、高周波重畳の周波数に変更して、再生リトライ処理を行う技術が開示されている。このような特許文献２では、再生エラーを検出した場合だけでなく、温度上昇を検出した場合にも高周波重畳の周波数に変更して再生リトライ処理を行うようにしている。
【特許文献１】特開２０００−３０６２４６公報
【特許文献２】特開２００１−０５６９５３公報
【発明の開示】
【発明が解決しようとする課題】
【０００３】
ところで、ディスクの連続再生やシークが頻繁に行われるようなデータを光ディスクから再生する場合には、装置全体の消費電流が上がり、装置の内部温度が上昇する。装置の内部温度が上昇した場合は、温度上昇による高温が原因で伝送系の回路にノイズが重畳して再生データにエラーが発生し、再生エラーが発生しやすくなるという欠点があった。
また、例えば光ディスクドライブ装置の動作温度が４０℃のときは４倍速での再生は問題なく行うことができるものの、光ディスクドライブ装置の動作温度が５０℃のときは２倍速まで再生速度を落とさないと再生エラーが発生し易いといった場合がある。このような場合には、例えば装置の動作温度が４０℃のときに４倍速に設定すると、５０℃以上で再生することができない。一方、装置の動作温度が４０℃のときに、５０℃以上の条件である２倍速に設定すると４０℃〜５０℃のときも２倍速に設定されてしまい、再生パフォーマンスが低下するという欠点があった。
そこで、本発明は上記したような点を鑑みてなされたものであり、装置内部の温度上昇などにより発生する再生エラーの発生を抑制して再生パフォーマンスの向上を図ることができる光ディスクドライブ装置を提供することを目的とする。
【課題を解決するための手段】
【０００４】
上記の目的を達成するため、請求項１記載の発明は、光ディスクに記録された情報を再生することができる光ディスクドライブ装置において、前記光ディスクに記録された情報を再生する再生手段と、再生動作時の再生速度を変更する再生速度変更手段と、当該光ディスクドライブ装置の内部温度を測定する温度測定手段と、外部から前記光ディスクの再生要求があった場合に、前記温度測定手段により内部温度の測定を行い、測定した温度が所定温度より低い場合は前記再生速度を最高速度に設定し、所定温度より高い場合は前記再生速度の所定速度以下に設定する制御手段と、を備えていることを特徴とする。
また請求項２に記載の発明は、所定の温度範囲毎に再生動作時に動作可能な再生速度情報を記憶する記憶手段を備えていることを特徴とする。
請求項３に記載の発明は、前記記憶手段の再生速度情報は、ディスク種別ごとに記憶されていることを特徴とする。
請求項４に記載の発明は、光ディスクに記録された情報を再生することができる光ディスクドライブ装置において、前記光ディスクに記録された情報を再生する再生手段と、前記再生手段で再生した再生信号にイコライズを施すイコライザ手段と、当該光ディスクドライブ装置の内部温度を測定する温度測定手段と、前記再生手段で再生された再生信号のエラーを検出した場合に、前記温度測定手段により内部温度の測定を行い、その温度測定結果に基づいて、前記イコライザ手段を制御する制御手段と、を備えていることを特徴とする。
請求項５に記載の発明は、ディスク種別と温度範囲毎にイコライザ設定情報を記憶する記憶手段を備えていることを特徴とする。
請求項６に記載の発明は、請求項４に記載の光ディスクドライブ装置において、前記制御手段は、前記イコライザ手段の設定を変更して再生リトライ処理を実行したときに、前記再生手段により再生される再生信号のエラーが検出されなくなった場合は、前記再生リトライ時のイコライザ手段の設定を維持することを特徴とする。
【発明の効果】
【０００５】
請求項１に記載の発明によれば、制御手段により外部から光ディスクの再生要求があった場合に、温度測定手段により測定した温度測定結果に基づいて、装置内部の温度が所定温度（例えば４０℃）以上の場合は、或る再生速度（例えば８倍速）で再生しないように制限するようにしているので、再生エラーの発生を抑制することができ、再生パフォーマンスの向上を図ることができるようになる。
請求項２記載の発明によれば、所定の温度範囲毎に設定可能な再生速度情報を記憶手段に記憶しておけば、再生速度を温度に応じて適切な再生速度に設定することができるようになる。
請求項３記載の発明によれば、ディスクの種別毎に分けた再生速度情報を記憶手段に記憶しておけば、温度に加えてディスク種別ごとに、より適切な再生速度に設定することができるようになる。
請求項４に記載の発明によれば、制御手段により、再生信号の再生エラーを検出した場合に、温度測定手段により測定された温度測定結果に基づいて、イコライザ手段の設定を制御するようにしているので、少ないリトライ回数で再生できる確率が高くなり、再生パフォーマンスの向上を図ることができるようになる。
請求項５に記載の発明によれば、ディスク種別と温度範囲毎にイコライザの設定情報を記憶手段に記憶しておくことで、より少ないリトライ回数で再生することができるようになる。
請求項６に記載の発明によれば、制御手段により、イコライザ手段の設定を変更して再生リトライ処理を実行したときに、再生手段により再生される再生信号のエラーが検出されなくなった場合は、再生リトライ時のイコライザ手段の設定を維持するようにしているので、再生エラーを抑制して、再生パフォーマンスの向上を図ることができるようになる。
【発明を実施するための最良の形態】
【０００６】
以下、本発明の実施の形態について説明する。
図１は本発明の一実施形態に係るディスクドライブ装置の概略構成図である。
なお、本実施の形態ではCD-Recordable/Rewritable Driveの構成を例に挙げて説明する。
この図１に示すディスクドライブ装置１は、ＣＤやＣＤ−Ｒなどのディスク状記録媒体（以下、単に「ディスク」と表記する）２を回転駆動するためのスピンドルモータ３、スピンドルモータ３を駆動するモータドライバ５、光ピックアップ４をディスク２の半径方向に移動する粗動モータ６、スピンドルモータ３の制御を行うスピンドルサーボ制御部７、粗動モータ６の制御を行う送りサーボ制御部８、光ピックアップ４のフォーカス制御やトラッキング制御を行うフォーカス・トラッキングサーボ制御部９、光ピックアップ４で得られる再生信号の信号処理を行う信号処理回路１０、デコーダ１１、バッファＲＡＭ１２、当該ディスクドライブ装置１の内部温度を検出するための温度センサ（温度測定手段）１３、ホストコンピュータ１５からの指示に応じて、光ディスクドライブ装置全体の制御を司るコントローラ（制御手段）１４などを備えて構成される。このように構成されるディスクドライブ装置１ではデータ記録時は記録パワーでレーザ光を発光し、ディスク２などのメディア上に信号（情報）を記録する。
スピンドルモータ３は、スピンドルサーボ制御部７によりモータドライバ５を介して一定速度になるように制御される。また再生時における再生速度の加速、減速は、コントローラ１２の制御に基づいてスピンドルサーボ制御部７がスピンドルモータ３の回転数を制御することで実現される。
【０００７】
光ピックアップ４は、図示しないが半導体レーザ（レーザダイオード）、対物レンズなどの光学系、フォーカスアクチュエータ、トラッキングアクチュエータ、受光素子、ポジションセンサなどを備えている。フォーカスアクチュエータは半導体レーザから出射されるレーザ光の焦点がディスク２に合うようにレンズの位置をディスクと垂直方向に動かす機構とされる。トラッキングアクチュエータはレーザ光のスポット（焦点）が、トラックをトレースするようにディスクの半径方向（スレッジ方向）にレンズを動かす機構とされる。また光ピックアップ４は図示していないシークモータによりスレッジ方向に移動可能とされる。これらフォーカスアクチュエータ、トラッキングアクチュエータ、シークモータは、受光素子、ポジションセンサから得られた信号をもとにモータドライバ５とスピンドルサーボ制御部７によりレーザ光のスポットが目的の場所に位置するように制御される。
温度センサ１３は、例えば光ピックアップ４の近傍に設置され、光ピックアップ４の温度を検出する。なお、温度センサ１３の種類は特に限定されるものでない。
コントローラ１４の内部には、図示してないが、各種プログラムが格納されたＲＯＭや各種プログラムを一時的に保持するＲＡＭ、各種プログラムにしたがって処理を実行するＣＰＵなどが設けられている。また、コントローラ１４は、デコーダにおいてデータが正しく読み出すことができたかどうかの判定を行い、正しく読み出すことができなかった場合には再生動作のやり直し処理、いわゆる再生リトライ処理を実行する。
このような本実施の形態の光ディスクドライブ装置１ではデータ読み出し時、光ピックアップ４で得られた再生信号（ＲＦ信号）が信号処理回路１０のリードアンプで増幅され、２値化処理が行われる。また信号処理回路１０では光ピックアップ４で得られたＲＦ信号の波形を２値化したときにエラーが発生しないようにＲＦ信号にイコライズ処理を施すイコライザ（イコライザ手段）が設けられている。なお、イコライザのイコライズ処理については後述する。
【０００８】
信号処理回路１０から出力される２値化データは、デコーダ１１に入力され、ＥＦＭ（Eight to Fourteen Modulation）復調が行われる。なお、ＥＦＭ復調は、ＣＤなどのディスクには光学的に再生または記録しやすいように８ビットのデータを１４ビットのデータに変調されて記録されていることからデータ読み出し時において元の８ビットのデータに復調するようにしている。そして、ＥＭＦ復調を行ったデータにデインタリーブ（並べ変え）とエラー訂正処理を行った後、図示しないバッファマネージャにより一旦バッファＲＡＭ１２に蓄積され、例えばセクタデータとして揃った段階でＡＴＩＰ（Absolute Time In Pregroove）やＳＩＳＣ（Small Computer System Interface）などと言ったインターフェースを介してホストコンピュータ１５に伝送される。またディスク２に記録されているデータが音楽データの場合はＣＤデコーダ１１から出力されるデータが図示しないＤ／Ａコンバータに入力され、アナログのオーディオ信号が取り出されることになる。
ここで、図２を参照しながら上記した信号処理回路１０のイコライザについて説明しておく。
イコライザの設定には、ブースト量（ゲイン）とブースト周波数があり、図２（ａ）にはブースト量の説明図が、図２（ｂ）にはブースト周波数の説明図がそれぞれ示されている。
先ず、図２（ａ）において、ブースト量を全く調整しない時の信号波形をａとすると、ブースト量（ゲイン）を増加させることにより、信号波形ａを波形ｂや波形ｃのように調整することができる。なお、ブースト量は段階的に増幅することができるようになっている。図２（ｂ）において、ブースト周波数を全く調整しない時の信号波形の周波数をｆとすると、信号波形の周波数ｆをｆ１まで下げたり、信号波形の周波数ｆをｆ２まで上げたり調整することができる。なお、ブースト周波数も段階的に調整することができるようになっている。なお、イコライザは振幅の低い周波数帯の信号についてはブースト量を増やすのが一般的である。
【０００９】
次に、上記した光ディスクドライブ装置１の第１の実施の形態に係る再生動作を図３に示すフローチャートを参照しながら説明する。なお、図３に示すフローチャートは、コントローラ１４内のＲＯＭに格納されているプログラムにしたがってコントローラ１４内のＣＰＵが実行する処理動作を示した図である。この図３に示す処理は、ホストコンピュータ１５から再生要求があったときに実行する。また、光ディスクドライブ装置１が再生するディスクをＤＶＤとし、最高８倍速の再生速度で再生を行うことができるものとする。
この場合、コントローラ１４は、外部のホストコンピュータ１５から光ディスク２の再生要求があった場合に、温度センサ１３により測定された温度が、所定温度より低い場合は再生速度を最高速度に設定し、所定温度より高い場合は再生速度の所定速度以下に制限するようにしている。
このため、コントローラ１４内のＣＰＵは、ホストコンピュータ１５から再生要求があった場合、温度センサ１３を制御して装置内部の温度を測定させる（Ｓ１）。次に、温度センサ１３からの温度検出情報に基づいて装置内部の温度が所定温度以上かどうか、例えば４０℃以上かどうかの判別処理を行い（Ｓ２）、４０℃以上の場合は、例えば再生速度を４倍速度までに制限した後（Ｓ３）、再生処理を実行する（Ｓ４）。一方、ステップＳ２において、装置内部の温度が４０℃より低いと判別した場合は再生速度を最高速（例えば８倍速）に設定した後（Ｓ５）、再生処理を実行する（Ｓ４）。
このようにすれば、装置内部の温度が所定温度（例えば４０℃）以上の場合は、或る再生速度（例えば８倍速）で再生しないようにしているので、再生エラーの発生を抑制することができ、これにより再生パフォーマンスの向上を図ることができるようになる。
また、上記した第１の実施の形態としての再生動作では、装置内部の温度が４０℃以上の場合に再生速度を４倍速までに制限しているが、４０℃以上で温度が高くなるにしたがって再生エラーが発生しやすくなることが予め分かっている場合には、コントローラ１４内に温度ごとに再生速度を細かく設定した設定可能速度テーブルを格納することも可能である。
【００１０】
図４は、本実施の形態に係る光ディスクドライブ装置における温度毎の再生速度情報の設定例を示した図である。なお、本実施の形態のディスクドライブ装置１においては、温度ごとに設定可能な再生速度情報がコントローラ１４のＲＯＭなどに予め格納され、同じくコントローラ１４のＲＡＭ上に再生速度情報テーブルとして展開して用いられるものとされる。
この場合、０℃〜４０℃までは温度による影響がないと考えられるので、２倍速、４倍速、８倍速で再生を行うことができるように設定している。つまり最高８倍速で再生を行えるよう設定している。そして４０℃〜５０℃の間では、温度による影響を考えて２倍速、４倍速、つまり最高４倍速で再生を行うことができるように設定し、温度による影響がありそうな５０℃以上のときは再生速度の上限を２倍に設定している。
このようにコントローラ１４内に温度ごとに再生速度を細かく設定した設定可能速度テーブルを設けるようにしておけば、温度ごとに最高速度を設定することができるので、光ディスクドライブ装置１の再生速度を温度に応じた適切な再生速度に設定することができるようになる。
また、上記図４に示した設定例では、光ディスク種別に関係なく、温度毎の再生速度を設定するようにしているが、これはあくまでも一例であり、ＣＤやＤＶＤといったディスク種別ごとに再生速度を設定することも可能である。
【００１１】
図５は、ＣＤにおける温度毎の再生速度の設定例を示した図である。また図６はＤＶＤにおける温度毎の再生速度の設定例を示した図である。なお、これらの、再生速度の設定例を示すテーブルもコントローラ１４のＲＯＭなどに予め格納され、同じくコントローラ１４のＲＡＭ上に展開して用いられるものとされる。
図５に示すＣＤの場合、０℃〜３０℃までは温度による影響がないと考えられるので、４倍速、８倍速、１２倍速、１６倍速、２４倍速、３２倍速、４８倍速で再生を行うことができるように設定する。つまりＣＤの場合は最高４８倍速で再生を行えるように設定している。そして、３０℃〜４０℃では４倍速、８倍速、１２倍速、１６倍速、２４倍速、３２倍速で再生を行うことができるように設定し、４０℃〜５０℃では４倍速、８倍速、１２倍速、１６倍速、２４倍速で再生を行うことができるように設定する。さらに５０℃〜６０℃では４倍速、８倍速、１２倍速、１６倍速、で再生を行うことができるように設定し、６０℃以上では４倍速、８倍速、１２倍速で再生を行うことができるように設定する。つまり、ＣＤの場合は３０℃〜４０℃では最高３２倍速、４０℃〜５０℃では最高２４倍速、５０℃〜６０℃では最高１６倍速、６０℃以上では最高１２倍速で再生を行うことができるように設定している。
一方、図６に示すＤＶＤの場合は、上記図４と同様、０℃〜４０℃までは最高８倍速、４０℃〜５０℃の間では最高４倍速、５０℃以上のときは最高２倍速で再生を行うことができるように設定している。
このように、ディスクの種別毎に設定可能速度テーブルを設けるようにしておけば、ディスクの種別毎に最高速度を設定することができるので、ディスクの種別ごとに再生速度を温度に応じた適切な再生速度に設定することができるようになる。
【００１２】
次に、上記した光ディスクドライブ装置１の第２の実施の形態に係る再生動作を図７に示すフローチャートを参照しながら説明する。なお、図７に示すフローチャートは、コントローラ１４内のＲＯＭに格納されているプログラムにしたがってコントローラ１４内のＣＰＵが実行する処理動作を示した図である。この図７に示す処理は、再生エラーが発生した場合に実行する。
この場合、コントローラ１４は、再生エラー検出手段より再生エラーを検出した場合に、温度センサ１３により測定された温度測定結果に基づいて信号処理回路１０のイコライザ設定を制御するようにしているので、少ないリトライ回数で再生できる確率が高くなり、再生パフォーマンスの向上を図ることができるようになる。
このため、ＣＰＵは再生エラーが発生した場合、温度センサ１３を制御して装置内部の温度を測定させる（Ｓ１１）。次に、温度センサ１３からの温度検出情報に基づいて装置内部の温度に適したイコライザに設定を変更した後（Ｓ１２）、再生リトライ処理を実行する（Ｓ１３）。そしてリトライ再生がＯＫであれば（Ｓ１４）、再生を完了して処理を終える（Ｓ１５）。一方、ステップＳ１４におけるリトライ再生がＯＫでなければ、再生速度を変更して（Ｓ１６）、再度ステップＳ１３の再生リトライ処理を実行する。
このようにすれば、再生開始時は装置内部の温度が常温であったが、再生中に装置内部の温度が上昇した場合、装置の内部温度を考慮したイコライザに設定して再生リトライ処理を実行するようにしているので、例えば１回目の再生リトライ処理で再生できる確率が高くなり、再生パフォーマンスの向上を図ることができるようになる。
【００１３】
図８はイコライザの設定例を示した図であり、図８（ａ）はＣＤにおける温度毎のイコライザの設定例を示した図、図８（ｂ）はＤＶＤにおける温度毎のイコライザの設定例を示した図、図８（ｃ）はブースト量とブースト周波数の設定値の一例を示した図である。なお図８（ｃ）の設定値は実験により求めた値である。
図８（ａ）に示すＣＤの場合、温度０℃〜４０℃で再生速度が８倍速のときは、イコライザのブースト量の設定を「１」、ブースト周波数「０」に設定するようにしている。つまり、図８（ｃ）に示すようにイコライザのブースト量を１ｄＢ、ブースト周波数を４．３ＭＨｚに設定するようにしている。以下同様に、温度４０℃〜５０℃で再生速度が８倍速のときは、イコライザのブースト量の設定を「２」、ブースト周波数「２」に設定し、温度５０℃以上で、再生速度が８倍速のときは、イコライザのブースト量の設定を「３」、ブースト周波数「４」に設定するようにしている。つまり、図８（ｃ）に示すようにイコライザのブースト量をそれぞれ１．５ｄＢと２ｄＢ、ブースト周波数を８．６ＭＨｚと１２．９ＭＨｚに設定するようにしている。以下、同様にして、各温度範囲での再生速度におけるブースト量とブースト周波数を設定しておくようにする。
また、図８（ｂ）に示すＤＶＤの場合も各温度範囲での再生速度におけるブースト量とブースト周波数を設定しておくようにする。このようにディスク種別と温度範囲毎にイコライザの設定情報をＲＯＭなどに記憶するようにしておくと、簡単な構成で少ないリトライ回数で再生することができるようになる。
【００１４】
次に、本発明の光ディスクドライブ装置の第３の実施の形態に係る再生動作を図９に示すフローチャートを参照しながら説明する。なお、図９に示すフローチャートもコントローラ１４内のＲＯＭに格納されているプログラムにしたがってコントローラ１４内のＣＰＵが実行する処理動作を示した図である。この図９に示す処理は、再生中に再生エラーが発生した場合に実行する。
この場合、コントローラ１４は、信号処理回路１０のイコライザの設定を変更して再生動作をリトライしたときに再生できた場合は、そのイコライザの設定を維持するようにしている。このため、ＣＰＵは、再生中に再生エラーが発生した場合、温度センサ１３を制御して装置内部の温度を測定させる（Ｓ２１）。次に、温度センサ１３からの温度検出情報に基づいて装置内部の温度、ディスク種別に適した再生速度とイコライザに設定を変更した後（Ｓ２２）、再生リトライ処理を実行する（Ｓ２３）。そしてステップＳ２４においてリトライに失敗したと判別した場合（Ｓ２４）、再生速度を変更（減速）して（Ｓ２５）、ステップＳ２３に戻り再生リトライ処理を実行する。ステップＳ２５において減速した場合は、その再生速度に合わせてイコライザを設定すればよい。一方、ステップＳ２４においてリトライ再生がＯＫであると判別した場合は、再生リトライ時のイコライザの設定のほうが通常の再生時の設定より優れていると判断して、通常の再生時のイコライザ設定として置き換える置き換え処理を行って（Ｓ２６）、再生を続けて再生を完了したら（Ｓ２７）処理を終えるようにする。
このようにすれば、装置の内部温度が常温から例えば４０℃まで上昇し、温度上昇による再生エラーが発生した場合、イコライザの設定を４０℃で最適な設定に変更して再生リトライを実行するようにしている。そしてリトライに成功した場合は、そのイコライザの設定を保持するようにしているので、再生エラーを抑制して、再生パフォーマンスの向上を図ることができるようになる。
なお、本実施の形態では、ＣＤとＤＶＤを再生する光ディスクドライブ装置を例に挙げて説明したが、これはあくまでも一例であり、ＣＤ−ＲＯＭ、ＣＤ−Ｒ、ＣＤ−ＲＷ等の各種光ディスクを再生する光ディスクドライブ装置にも適用可能である。
【図面の簡単な説明】
【００１５】
【図１】本発明の一実施形態に係るディスクドライブ装置の概略構成図である。
【図２】（ａ）はイコライザのブースト量の説明図、（ｂ）はイコライザのブースト周波数の説明図である。
【図３】本発明の光ディスクドライブ装置の第１の実施の形態に係る再生動作を示したフローチャートである。
【図４】温度毎の再生速度の設定例を示した図である。
【図５】ＣＤにおける温度毎の再生速度の設定例を示した図である。
【図６】ＤＶＤにおける温度毎の再生速度の設定例を示した図である。
【図７】本発明の光ディスクドライブ装置の第２の実施の形態に係る再生動作を示したフローチャートである。
【図８】（ａ）はＣＤにおける温度毎のイコライザの設定例を示した図、（ｂ）はＤＶＤにおける温度毎のイコライザの設定例を示した図、（ｃ）はブースト量とブースト周波数の設定値の一例を示した図である。
【図９】本発明の光ディスクドライブ装置の第３の実施の形態としての再生動作を示したフローチャートである。
【符号の説明】
【００１６】
１  光ディスクドライブ装置、２  ディスク、３  スピンドルモータ、４  光ピックアップ、５  モータドライバ、６  粗動モータ、７  スピンドルサーボ制御部、８  送りサーボ制御部、９  フォーカス、トラッキングサーボ制御部、１０、信号処理回路、１１  デコーダ、１２  バッファＲＡＭ、１３  温度センサ、１４  コントローラ、１５  ホストコンピュータ
【図１】
2006040487.tif 000003
【図２】
2006040487.tif 000004
【図３】
2006040487.tif 000005
【図４】
2006040487.tif 000006
【図５】
2006040487.tif 000007
【図６】
2006040487.tif 000008
【図７】
2006040487.tif 000009
【図８】
2006040487.tif 000010
【図９】
2006040487.tif 000011